(57)【要約】      （修正有）【課題】銀の溶解が最も効率よく自然発生し続けるようにし、水の色、濁り、味が強すぎず、機器類を損なわず、殺菌効果を高め一般的に好まれて普及し易くする。【解決手段】ゴミとり装置で水のゴミ除去処理をし、磁気式水処理装置２により磁気を掛けて、含まれている被磁化成分を防除し、その被磁化成分を除いた水が銀イオン発生装置４を通過する工程によって非解離成分を除去し、最も効率が良い銀の溶解が得られる。【選択図】    図１
2004196762.tif 000002
【特許請求の範囲】
【請求項１】
銀の電気分解による溶解及び、銀メッキ等の溶解によらず、被解離成分を防除することと、銀イオンが自然に発生し続けることを特徴とする銀イオン水。
【請求項２】
温泉水等水に磁気を掛けて含まれている被磁化成分を除去し、特に銀と塩素系の化学反応による塩化銀にせずに、銀の溶解度を高める処理することを特徴とする銀イオンの自然発生方法。
【請求項３】
銀が溶解して、銀イオンの発生をできる限り高めるために、銀を加工し更に補強材によって水圧等に対応できる容器のステンレス篭に入れ密封したものと、これらを収納するステンレスの円形筒状ユニット及び、偶角部用三角形ユットを具備することを特徴とする銀イオンの自然発生装置。
【請求項４】
前記手段は、銀の針金をそのまま、細幅で一定の厚さを有する連続した板状と、数米に切断加工し、更に、コイル状にして光熱で焼いて、銀が自然体のままで、銀イオンの発生度を高めるための銀収納ユニットを具備することを特徴とする請求項２又は、３に記載の銀イオンの自然発生装置。
【請求項５】
前記銀イオン発生装置は、浴槽の温泉水等を循環する装置に併設するもの、水が停滞し動かない浴槽の偶角部の銀イオン発生装置と、髪の毛、ぬめり、ヘアーキャッチャーを具備し、その装置の効果を最大限利用して、レジオネラ菌、大腸菌、Ｏ−１５７病原性大腸菌、抗酸菌（老人性結核菌）、ＭＲＳＡ（耐性黄色葡萄球菌）、一般病原菌等に効果があり、循環系の汚れ防止、かびの発生を防ぎ、殺菌効果を生かすことを特徴とする請求項１〜４記載する銀イオンの自然発生方法とその装置。
【発明の詳細な説明】
【０００１】
【発明の属する分野】
本発明は、電気分解及び、銀メッキの溶解によらないで、銀の単体を自然溶解させて、同時に銀特有の化学反応を防除し、殺菌効果をその場で有効に活用できる銀の単体自然溶解に関する。
【０００２】
【従来の技術】
古くから銀は殺菌効果があるものとして、食器類、歯の治療、医療機器類、レジオネラ菌等の細菌類の殺菌に使用されてきている。しかし、銀は水に溶解しにくいことでも知られていて、電気分解及び、銀メッキの溶解によるイオン化によって、銀イオンを発生をさせてその効果を利用してきた。又、水の消毒に用いられる銀は、０．１ｍｇ／ι以下の低濃度でも十分な効果はあるとされている。
当該発明の属する分野にある従来の技術を記載します。
【特許文献１】特開２００１−２４６３７２号公報
【特許文献２】特開２００１−０４７０５８号公報
【特許文献３】特開平１０−２９６２７１号公報
【特許文献４】特開平１０−２１６７４１号公報
【０００３】
【発明が解決しようとする課題】
しかしながら、電気分解ではメンテナンス、極板交換の費用がかかり常時使用するには好まれない。又、銀メッキでは、たちまちそれ等は溶けて終わってしまう。そして、銀と塩素系によって化学反応を起こし、水が白濁し、見た目が変化してしまう他、固形化された沈澱物等防除が困難であったために広く普及し難い。
【０００４】
本発明は、このような従来の問題点に着目してなされたものであり、塩素系薬剤のような刺激臭、肌荒、異臭味が一切なく、人体に優しい安全なイオンであり、銀の溶解度を高めて、銀イオンの自然発生を効率よく持続させて、水の白濁、沈澱物等を防除し、
水の汚れを除去し、藻の発生等をなくし、殺菌効果が大きく、一般的に好まれて広く普及し易い銀の自然溶解による銀イオンの発生方法並びにその発生装置を提供することを目的とすることで、上記課題を解決する。
【０００５】
【課題を解決するための手段】
上記目的を達成するために、本発明による銀イオンの発生方法並びにその発生装置は、電気分解及び、銀メッキによらないで、且つ、化学薬品を一切使わないで、銀イオンの発生をさせて、銀の化学反応による白濁、結晶し固形化される沈澱物等を防除する。
【０００６】
又、水に発生した銀イオンは、塩素系と化学反応によって水を白濁し、結晶もし易いが、本発明の銀イオン水の発生方法では、水に磁気を掛けて含まれている被磁化成分の結合を防除し、ヘアーキャッチャーでゴミ取り、フィルターによりぬめりを除去して、ろ過器をくぐって汚れをろ過し、ろ過器の内部を殺菌し、汚れを除去した水を循環させる工程を踏む。
【０００７】
又、銀イオンの発生装置には、水に磁気を掛けて含まれている被磁化成分を除去する磁気式水処理装置と、その被磁化成分を結合しにくくして、銀イオン水の発生装置と、その水に含まれる被解離成分を除去する磁気式水処理装置を具備する。
【０００８】
銀の溶解に用いる水は、純水、水道水、天然温泉水、井水、河川水等多種な水に対応する。
【発の明実施の形態】
以下、本発明の実施の形態を説明する。
本発明を適用する水として、長野県上田千曲高等学校の純水並びに、上田千曲高等学校水道水（長野県営水道水）、長野県北安雲郡白馬村大字北城１２８６７−２２２番地の温泉水を用いる。これらの水で発生したイオン水を、長野県松本市旭２丁目１０番１５号  社団法人長野県薬剤師会検査センターにおいて実施で、ＩＣＰ−ＭＳ法（誘導結合プラズマ質量分析装置）による銀の測定で平成１４年１１月２１日付けの検査結果によって以下に示す。
【０００９】
検査結果書  （Ｎ０５２６０）（Ｎ０５４７４）（Ｎ０５４７５）（Ｎ０５７６２）                                                        
ＩＣＰ−ＭＳ法（誘導結合プラズマ質量分析装置）による分析
１．申請者
住所  (公序良俗違反につき、不掲載）
氏名  (公序良俗違反につき、不掲載）
２．試験水採取場所
長野県上田市  長野県上田千曲高等学校
３．採取者
氏名  渡邉  洋美
４．採取方法（純水のみを同条件で日を替えて計２回採取した）
イ）  ４０℃に保った高温層へビーカーに取った２．５ιの純水を入れ、ラップをかけて水温が４０℃になるまで調整する。
ロ）  同時に高温層に加工した銀５００ｇを入れた篭を入れ４０℃に保っておく。
ハ）  水温を確認し、４０℃になったところで、加工した銀５００ｇを入れた篭を純水の入ったビーカーに入れ、再びラップし、高温層で４０℃に保ったまったまま１時間放置する。
二）  １時間後加工した銀５００ｇを入れた篭を静かに取り出し、ステンレスの網の上に置き、充分に水が切れるまで放置する。
ホ）  上記の条件の水を試験水として２．５ι採取した。
５．  純水を用いた検査及び検査成績
イ）  検査及び検査責任者  社団法人長野県医師会検査センター
第１回目    (公序良俗違反につき、不掲載）
第２回目    (公序良俗違反につき、不掲載）
ロ）  第１回目検査年月日    平成１４年１２月  ２日
第２回目検査年月日    平成１４年１２月２０日
６．  検査結果
イ）  本水１ι中に含まれる銀の量
第１回目              ０．２８ｍｇ／ι
第２回目              ０．２８ｍｇ／ι
【００１０】
上記検査結果書から４０℃に保った２．５ιの温泉水に１時間浸したままの状態で、ごく自然に純水約１，０００ｍｇ中に０．２８ｍｇの銀が溶解したことを証明した。
７．  温泉水を用いた検査及び検査成績
イ）  検査及び検査責任者  社団法人長野県医師会検査センター
（公序良俗違反につき、不掲載）
ロ）  検査年月日    平成１４年１２月  ９日
８．  検査結果
イ）  本水１ι中に含まれる銀の量
０．０７１ｍｇ／ι
９．  同水の塩化銀物イオン検出試験
イ）  試験及び試験責任者  （公序良俗違反につき、不掲載）                            （公序良俗違反につき、不掲載）
ロ）  試験立会者  （公序良俗違反につき、不掲載）
（公序良俗違反につき、不掲載）
ハ）  試験管に同水を適量入れ、硝酸銀水溶液を適量落とした
ａ）  結果、塩化銀による白濁を起こし、沈澱が生じた。
ｂ）  しばらくすると極度の紫色に変化し固形物も大きくなった。
ニ）  上記試験結果により、同水に銀が多く溶解されている程、試験結果、水に極度の変化が起き得ることが想定される。
ホ）  よって、本試験結果のまとめとして、塩素と銀の結合を防ぐべく水に磁気を掛けて塩素を防除し、化学変化による塩化銀になることを妨げる。
ヘ）  ８．イ）の本水１ι中に含まれる
銀の量０．０７１ｍｇ／ιは、
銀の溶解は純水と比しても、同数値は望んで差し支えないと考える。よって、水中の塩素成分を６０％程度の除去或いは、結合を防除すれば、純水の溶解度の０．２８ｍｇ／ι×０．６＝０．１６８ｍｇ／ιとなり、同水程度の成分が含まれた温泉水であっても、少なくとも温泉水１ι中に０．１６８ｍｇ／ι程度以上の銀の溶解があるものとして差し支えない。
【００１１】
上記検査結果書から源泉水（平成１４年５月１５日）社団法人長野県薬剤師会検査センターの温泉成分分析表による含有ナトリュウムイオンは、３，６７０ｍｇ／ｋｇ、塩素イオンは、４，５０８ｍｇ／ｋｇと含有量が多く、ｐＨ値は、７．０８となっている。そこで、水に磁気を掛けることによって、６０％程度以上成分の結合を防除し、銀の溶解度を高めてその溶解度を約０．２ｍｇ／ι程の数値が期待できる。  よって、試験結果では４０℃に保った２．５ιの水道水に１時間浸したままの状態で、ごく自然に温泉水約１，０００ｍｇ中に０．１６８ｍｇの銀が溶解したことを証明したが、この結果、温泉水約１，０００ｍｇ中に銀が約０．２０ｍｇ／ι溶解したと置き換えても差し支えない。
１０．  水道水を用いた検査及び検査成績
（採取時の塩素含有量０．７ｍｇ／ι管理事務所回答）
イ）  検査及び検査責任者  社団法人長野県医師会検査センター
（公序良俗違反につき、不掲載）
ロ）  検査年月日            平成１４年１２月  ９日
１１．  検査結果
イ）  本水１ι中に含まれる銀の量
０．００８１ｍｇ／ι
１２．  同水の塩化物イオン検出試験
イ）  試験及び試験任者  （公序良俗違反につき、不掲載）                                    （公序良俗違反につき、不掲載）            ロ）  試験立会者        （公序良俗違反につき、不掲載）
（公序良俗違反につき、不掲載）
ハ）  試験管に同水を適量入れ、硝酸銀を適量落とした。
ａ）  結果、塩化銀による白濁を起こし沈澱が生じた。
ｂ）  しばらくすると極度の紫色に変化し固形物も大きくなっ                た。
ニ）  上記試験結果より、同水に銀が多く溶解されている程、試験結果水に極度の変化が起き得ることが想定される。                          ホ）  よって、本試験結果のまとめとして、塩素と銀の結合を防ぐべく、水に磁気を掛けて塩素を防除し、化学変化による塩化銀になることを妨げる。
ヘ）  ８．イ）の本水１ι中に含まれる
銀の量０．００８１ｍｇ／ιは、
銀の溶解は純水と比しても、同数値は望んで差し支えない。  よって、水中の塩素成分を６０％除去或いは、結合を防除すれば、純粋の溶解度の０．２８ｍｇ／ι×０．６＝０．１６８ｍｇ／ιとなり、同水程度の成分が含まれた温泉水であっても、少なくとも温泉水１ι中に０．２０ｍｇ／ι程度の銀の溶解があるものとして差し支えない。
【００１２】
上記検査結果書から４０℃に保った２．５ιの水道水に１時間浸したままの状態で、ごく自然に水道水約１，０００ｍｇ中に０．００８１ｍｇの銀が溶解したことを証明した。
（採取時の塩素含有量０．７ｍｇ／ι管理事務所回答）よって、試験結果では４０℃に保った２．５ιの水道水に１時間浸したままの状態で、ごく自然に水道水約１，０００ｍｇ中に０．００８１ｍｇの銀が溶解したことを証明したが、この結果、水道水約１，０００ｍｇ中に銀が０．２ｍｇ溶解したと置き換えることができる。
【００１３】
銀の溶解度（溶出量）は、「日本化学学会編」改訂４版・化学便覧の基礎編ＩＩ：水に対する単体及び無機化合物の溶解度によると、水１００ｍｇに対して、水温２５℃の場合の銀の溶解度は、表８−５８より  銀の溶解度は、２．８×１０−５ｇｍｇである。
水１．０ι（１，０００ｍｇ）中の溶解度は２．８×１０−４ｇｍｇである。
上記の値から水１．０ι（１，０００ｍｇ）の水には、銀イオンが最大で、２．８×１０−ｍｇ溶解するため水１．０ι（１，０００ｍｇ）の銀イオン溶出量は、０．２８ｍｇ／ιとなる
【００１４】
本試験結果は、４０℃に保った水に１時間浸したまま放置したものなので、４０℃以上の温度又は、この温度で常時循環するような場合、常時４０℃以上の高温に浸して１時間以上放置又は、循環する場合はこの最大溶解度の数値を上回った数値が当然期待できる。
【００１５】
検査結果書から、４０℃に保った純水に、銀の単体５００ｇを一定の幅にし可能な限り厚さを薄くしてかさを多くして、銀同士が互いに貼り付かない工夫をしたものを、高熱で焼いてステンレスの綾織りした網を加工した篭に入れ、１時間浸した結果、純水１ι中に０．２８ｍｇの銀が溶解していることが明らかになった。そして、温泉水等においても、水に磁気を掛けて発生した銀イオン水は、知覚的に無色透明で、やや塩味を有するが、水に磁気を掛けることで、ナトリュウム、塩素等のとの結合を防除し、極端な化学反応をおこすことを免れて、白濁、沈澱等が微量であることがわかる。それ故、色、味の原因成分である被磁化成分濁りの原因成分である、非解離成分を防除して銀イオンが発生したものは、色、味等が強すぎることなく濁りもなく、又、温泉水である場合も温泉成分を損なわずに、釜等の機器類を傷めることも少なくなる等、格安に導入でき、一般的に好まれるものになり、広く普及し易いものになる。
【００１６】
そこで、図１に示すような銀イオン水発生装置４を用い、水中に銀イオンを自然発生させる。その際、先ず、水を装置１のヘアーキャッチャーを通過し、ゴミ取りをした後に、装置２の磁気式水処理装置２を通過する。ここから、銀イオン自然発生装置３に送り込む。すると、磁気式水処理装置１により、水に磁気を掛けてその中に含まれている被磁化成分であるナトリュウム、塩素の結合を防除することができる。その際、化学変化によって発生する白濁、沈澱物等々、不要な鉄分マンガン等が空気中の酸素と触れてできる酸化物も当然除去できる。この磁気式水処理装置１は、井水、水道水等の磁気式水処理装置として一般的に市販されているものを使用すればよい。
【００１７】
次に、被磁化成分を除去した水を銀イオン発生装置３に送り込む。すると、被磁化成分を除去しながら、銀イオンの自然発生をし続け始める。この銀イオンの発生体の銀は一般的に市販されている加工可能な純銀の素材を使用すればよい。なお、先に、被磁化成分を除かずに純水以外の水で銀の溶解をしても、被磁化成分によって塩素系と銀が結合して、化学反応によって銀の溶解度の効率が激減する。
【００１８】
次に、発生した銀のイオン水は、循環ポンプ７によって循環させることで、ろ過器６の内部において増殖し易い細菌類を殺菌しつつ、徐々にその効果を高めて行くことができる。そこで、水を配管、機器類等に送り込んだ時に水中に含まれるカルシュウム、メタケイ酸類等々被磁化成分及び、非解離成分等によって発生するスケーリングを除去することができる。
【発明の効果】
以上説明した本発明によれば、請求項１記載の発明では銀の電気分解、銀メッキの溶解によらず、銀を水に浸し続けて銀が溶解し続けて、管理し易く、本来の水の成分を余り替えずに殺菌効果を最大限に幅広く活用でき、一般的に好まれて広く普及し易いものになる。
【００１９】
又、請求項２記載の発明では水に含まれている色、味の原因成分である被磁化成分を先に防除することにより、それ等の被磁化成分によって銀イオンの発生量の損失を少なくし、銀イオンの発生を効率的に行うことができる。又、銀イオンの発生により、化学反応を引き起こした場合も、白濁、沈澱等は最小限にとどまり、又、白濁、沈澱物等を効率的に除去することができる。
【００２０】
又、請求項３記載の発明では、常時循環するに用いるユニット、水槽の偶角部等水が停滞する場所に固定して用いるユニット、毛髪、ヘアーキャチャー並びに磁気式水処理装置、銀イオン発生装置、ろ過装置等を具備することによって、これを通過する工程によって銀イオンの自然発生を簡単で、持続して効率的に発生し続けさせることができる。
【００２１】
又、請求項４記載の発明では、銀が効率よく溶解し続けられるために銀の針金を加工し、高熱で焼き、ステンレスの綾織りした網を加工し、篭を形成しそれに銀を収納し溶接止めにし、水圧等で銀が流れ出ないよう定着させた。更に、加工した銀を収納したステンレス篭とそれを収納させるステンレスの筒状ユニットを具備することで脱着、管理を簡単にすることでができる。
【００２２】
又、請求項５記載の発明では、銀が効率よく溶解し続けるために、水が循環するに用いる銀イオン発生装置３、水が停滞してしまう箇所に固定し用いる銀イオン発生三角形装置５で、ヘアーキャッチャー装置１、磁気式水処理装置２、銀イオン発生装置３、ろ過装置６等を具備することによって、銀イオンを発生させて、多面に渡る細菌類を効率よく人体に安全で、簡単に殺菌でき、藻、かび等の発生も防ぐことができる。
【図面の簡単な説明】
【図１】本発明を適用した銀（Ａｇ）イオンの発生装置の構成図である。
【図２】本発明の適応したヘアキャッチャー装置の詳細図である。
【図３】本発明の適応した循環用、銀イオンの発生装置の詳細図である。
【図４】本発明の適応した浴槽用、銀イオンの発生三角形装置の詳細図である。
【図５】本発明の適応した浴槽用、銀イオンの発生三角形装置の詳細図である。
【符号の説明】
１・・・ヘアーキャッチャー本体
２・・・磁気式水処理装置
３・・・銀イオン発生本体
４・・・銀イオン発生装置
５・・・銀イオン発生三角形装置本体
６・・・ろ過装置
７・・・循環ポンプ
８・・・フルター収納篭
９・・・フルター
１０・・・補助管
１１・・・フランジ
１２・・・クッリップ止め
１３・・・篭キャップ
１４・・・補助管
１５・・・フランジ
１６・・・銀収納篭
１７・・・水方向を示す
１８・・・銀収納篭キャップ
１９・・・スッポット溶接部分
２０・・・加工銀
２１・・・空間部
２２・・・浴槽仕上り位置
２３・・・綾織り網付き窓
２４・・・銀収納篭体位置
２５・・・銀収納篭
２６・・・篭キャップ
２７・・・網スポット溶接部分
２８・・・補強板
２９・・・本体差し込み部
３０・・・本体天板
３１・・・銀収納篭受けアングル
３２・・・ステンレス網
３３・・・取付ビス
【符号の説明】
１・・・ヘアーキャッチャー本体
２・・・磁気式水処理装置
３・・・銀イオン発生本体
４・・・銀イオン発生装置
５・・・銀イオン発生三角型装置本体
６・・・ろ過装置
７・・・循環ポンプ
８・・・フルター収納篭
９・・・フルター
１０・・・補助管
１１・・・フランジ
１２・・・クッリップ止め
１３・・・篭キャップ
１４・・・補助管
１５・・・フランジ
１６・・・銀収納篭
１７・・・水方向を示す
１８・・・銀収納篭キャップ
１９・・・スッポット溶接部分
２０・・・加工銀
２１・・・空間部
２２・・・浴槽仕上り位置
２３・・・綾織り網付き窓
２４・・・銀収納篭体位置
２５・・・銀収納篭
２６・・・篭キャップ
２７・・・網スポット溶接部分
２８・・・補強板
２９・・・本体差し込み部
３０・・・本体天板
３１・・・銀収納篭受けアングル
３２・・・ステンレス網
３３・・・取付ビス
【図１】
2004196762.tif 000003
【図２】
2004196762.tif 000004
【図３】
2004196762.tif 000005
【図４】
2004196762.tif 000006
【図５】
2004196762.tif 000007
【手続補正書】
【提出日】平成15年7月22日(2003.7.22)
【手続補正２】
【補正対象書類名】明細書
【補正対象項目名】請求項１
【補正方法】変更
【補正の内容】
【請求項１】
磁気をかけた水を、コイル形状にして高温で焼いた銀を入れたステンレスの綾織した網からなる篭に通水することを特徴とする銀イオン自然発生方法。
【手続補正３】
【補正対象書類名】明細書
【補正対象項目名】請求項２
【補正方法】変更
【補正の内容】
【請求項２】
水に磁気をかける磁気式水処理装置と、磁気をかけた水を通水するコイル形状にして高温で焼いた銀を入れたステンレスの綾織した網からなる篭を備えたことを特徴とする銀イオン自然発生装置。
【手続補正４】
【補正対象書類名】明細書
【補正対象項目名】００１７
【補正方法】変更
【補正の内容】
【００１７】次に、磁気を掛けた水を、銀の針金をそのまま、細幅で一定の厚さを有する連続した板状と、数米に切断加工し、更にコイル状にして高熱で焼いた銀を入れたステンレスの綾織した網からなる篭に通水すれば、銀は自然体のままで、銀イオンの発生をし続け始める。この銀イオンの発生体の銀は一般的に市販されている加工可能な純銀の素材を使用すれば良い。なお、先に、磁気処理をしない純水以外の水で銀の溶解をしても、塩素系と銀が結合して化学反応によって銀の溶解度の効率が激減する。


【手続補正５】
【補正対象書類名】明細書
【補正対象項目名】００１８
【補正方法】変更
【補正の内容】
【００１８】次に、発生した銀のイオン水は、循環ポンプ７によって循環させることで、ろ過器６の内部において増殖し易い細菌類を殺菌しつつ、徐々にその効果を高めて行くことができる。そこで、水を配管、機器類等に送りこんだ時に水中に含まれるカルシュウム、メタケイサン類等々非磁化成分及び非解離成分等によって発生するスケーリングを除去することができる。
以上説明した本発明によれば、磁気をかけた水を、コイル形状にして高温で焼いた銀を入れたステンレスの綾織した網からなる篭に通水することで銀イオンが自然発生する方法とその装置によるもので、銀を水に浸し続けて銀が溶解し続けて、管理し易く、本来の水の成分を余り替えずに殺菌効果を最大限に幅広く活用でき、一般的に好まれて広く普及し易いものになる。